(57)【要約】【課題】断熱床下構造のメンテナンス時に行われる防蟻剤の補充作業を容易化する。【解決手段】断熱床下構造は、外周基礎１と、断熱材１０と、土間コンクリート５とを備える。断熱材１０は、その下側の一部が外周基礎１と土間コンクリート５との間に挟まれるような状態で、外周基礎１の内側面１ａに取り付けられている。断熱材１０の下方に位置する下側部材（２）の上面のうち断熱材１０よりも床下側に張り出した部分に、防蟻機能を有する防蟻剤９が配置されている。断熱材１０には、その外面側から補充される追加の防蟻剤９’を、断熱材１０の外面１２と土間コンクリート５との間を通じて下側部材（２）の上面の防蟻剤９へと導く案内手段（２０）が設けられている。【選択図】図１
2015145585.tif 000002
【特許請求の範囲】
【請求項１】
建築物を支持する枠状の外周基礎と、外周基礎の内側面を覆うように取り付けられる断熱材と、上記外周基礎および断熱材によって囲まれた床下部分の地盤を覆うように施工される土間コンクリートとを備えた断熱床下構造であって、
上記断熱材は、その下側の一部が上記外周基礎の内側面と土間コンクリートとの間に挟まれるような状態で配置されており、
上記断熱材の下方に位置する下側部材の上面のうち断熱材よりも床下側に張り出した部分に、防蟻機能を有する防蟻剤が配置されており、
上記断熱材には、その床下側の面である外面側から補充される追加の防蟻剤を、上記断熱材の外面と土間コンクリートとの間を通じて上記下側部材の上面の防蟻剤へと導く案内手段が設けられている、ことを特徴とする断熱床下構造。
【請求項２】
請求項１記載の断熱床下構造において、
上記下側部材は、上記外周基礎の下端部から水平方向に張り出すように設けられたフーチングであり、
上記土間コンクリートの周縁部と上記フーチングとが上下に重なるように配置されるとともに、両者の間に上記防蟻剤が配置された、ことを特徴とする断熱床下構造。
【請求項３】
請求項２記載の断熱床下構造において、
上記案内手段は、上記フーチングの上面から上記土間コンクリートの上面までの高さ範囲に亘る上記断熱材の外面を少なくとも覆うように配置された不織布である、ことを特徴とする断熱床下構造。
【請求項４】
請求項３記載の断熱床下構造において、
上記断熱材は、上記フーチングの上面に載置され且つ上記外周基礎の内側面の下方領域を覆う下側断熱材と、下側断熱材の上面に載置され且つ上記外周基礎の内側面の上方領域を覆う上側断熱材とを有し、
上記下側断熱材は、上記外周基礎の内側面と土間コンクリートの周縁部との間に挟まれるように配置されており、上記土間コンクリートの上面の高さが、上記下側断熱材の上面の高さと一致するように設定され、
上記不織布は、上記下側断熱材の上面および外面と、下側断熱材の上面よりも上方に位置する上記外周基礎の内側面の一部とを連続して覆うように配置されている、ことを特徴とする断熱床下構造。
【請求項５】
請求項２記載の断熱床下構造において、
上記案内手段は、上記断熱材の外面に取り付けられ、且つ上記フーチングの上面から上記土間コンクリートの上面以上の高さ範囲に亘って上下方向に延びる中空構造材であり、
上記中空構造材の内部には、上記追加の防蟻剤が流通可能な上下方向に延びる流路が１つ以上形成されている、ことを特徴とする断熱床下構造。
【請求項６】
請求項５記載の断熱床下構造において、
上記中空構造材は、上記断熱材の厚み方向および上下方向の双方に直交する方向に一定の間隔を空けて複数設けられている、ことを特徴とする断熱床下構造。
【請求項７】
建築物を支持する枠状の外周基礎と、外周基礎の下端部から水平方向に張り出すフーチングと、フーチングの上面に載置され且つ上記外周基礎の内側面を覆うように取り付けられる断熱材と、上記外周基礎および断熱材によって囲まれた床下部分の地盤を覆うように施工される土間コンクリートとを備えた断熱床下構造に防蟻処理を施す方法であって、
上記外周基礎の内側面に上記断熱材を取り付けるとともに、上記断熱材の床下側の面である外面のうち、上記フーチングの上面から上方の所定の高さ範囲を少なくとも覆うように不織布を取り付ける第１のステップと、
上記断熱材の外面の近傍に位置するフーチングの上面に、防蟻機能を有する防蟻剤を配置する第２のステップと、
上記床下部分の地盤と、上記防蟻剤が配置されたフーチングの上面とをともに覆うように上記土間コンクリートを施工し、この土間コンクリートの周縁部と上記外周基礎の内側面との間に上記断熱材の下側の一部を挟み込む第３のステップと、
上記断熱材を外周基礎に取り付けた状態のままで、上記不織布の一部に追加の防蟻剤を含浸させることにより、この追加の防蟻剤を、上記断熱材の外面と土間コンクリートとの間を通じて上記フーチングの上面の防蟻剤へと導入する第４のステップとを含む、ことを特徴とする断熱床下構造の防蟻処理方法。
【請求項８】
建築物を支持する枠状の外周基礎と、外周基礎の下端部から水平方向に張り出すフーチングと、フーチングの上面に載置され且つ上記外周基礎の内側面を覆うように取り付けられる断熱材と、上記外周基礎および断熱材によって囲まれた床下部分の地盤を覆うように施工される土間コンクリートとを備えた断熱床下構造に防蟻処理を施す方法であって、
上記外周基礎の内側面に上記断熱材を取り付けるとともに、上記断熱材の床下側の面である外面のうち、上記フーチングの上面から上方の所定の高さ範囲に亘って、上下方向に延びる流路が内部に形成された中空構造材を取り付ける第１のステップと、
上記断熱材の外面の近傍に位置するフーチングの上面に、防蟻機能を有する防蟻剤を配置する第２のステップと、
上記床下部分の地盤と、上記防蟻剤が配置されたフーチングの上面とをともに覆うように上記土間コンクリートを施工し、この土間コンクリートの周縁部と上記外周基礎の内側面との間に上記断熱材の下側の一部を挟み込む第３のステップと、
上記断熱材を外周基礎に取り付けた状態のままで、上記中空構造材の内部の流路に追加の防蟻剤を流し込むことにより、この追加の防蟻剤を、上記断熱材の外面と土間コンクリートとの間を通じて上記フーチングの上面の防蟻剤へと導入する第４のステップとを含む、ことを特徴とする断熱床下構造の防蟻処理方法。
【発明の詳細な説明】
【技術分野】
【０００１】
本発明は、建築物を支持する枠状の外周基礎と、外周基礎の下端部から水平方向に張り出すフーチングと、フーチングの上面に載置され且つ上記外周基礎の内側面を覆うように取り付けられる断熱材と、上記外周基礎および断熱材によって囲まれた床下部分の地盤を覆うように施工される土間コンクリートとを備えた断熱床下構造、および当該構造に防蟻処理を施す方法に関する。
【背景技術】
【０００２】
建築物の床下部分に断熱処理が施された断熱床下構造に関する従来技術として、例えば下記特許文献１が公知である。この特許文献１の断熱床下構造では、図１７に示されるように、建築物を支持する枠状の外周基礎２０１の内側面（図１７の右側の面）と、外周基礎２０１に囲まれた地盤Ｅを覆う土間コンクリート２０５の上面とに、それぞれ断熱材２０７，２０８が施工されている。上記外周基礎２０１と土間コンクリート２０５との接合部の上方にあたる角部、つまり、外周基礎２０１の内側面と土間コンクリート２０５の上面とが交差する内角部には、防蟻剤２０９が充填されている。
【０００３】
具体的に、上記特許文献１では、上記内角部に対応する断熱材２０８の側縁部の下面に、当該部を斜めにカットした切欠き部が設けられており、この切欠き部に対応した領域に、上記防蟻剤２０９が充填されている。
【先行技術文献】
【特許文献】
【０００４】
【特許文献１】特開２００５−２１３８３７号公報
【発明の概要】
【発明が解決しようとする課題】
【０００５】
上記特許文献１に開示された断熱床下構造（図１７）によれば、仮に外周基礎２０１と土間コンクリート２０５との接合部に隙間が生じていたとしても、その上方にあたる上記内角部に配置された上記防蟻剤２０９の効果により、土中に住む白蟻が上記隙間から外周基礎２０１をつたって上方に這い上がることが阻止され、建築物の木質部分（土台や柱等）や断熱材に白蟻による食害が及ぶことが防止される。
【０００６】
しかしながら、図１７に示したような位置に防蟻剤２０９を充填した上記特許文献１の技術では、メンテナンス性が悪化するという問題がある。例えば、建築から長期間が経過した後は、防蟻剤２０９を定期的に補充することが望ましいが、このような作業を行うには、断熱材２０７，２０８を一旦取り外す必要があり、作業が煩雑化してしまう。
【０００７】
本発明は、上記のような事情に鑑みてなされたものであり、断熱床下構造のメンテナンス時に行われる防蟻剤の補充作業をより容易化することを目的とする。
【課題を解決するための手段】
【０００８】
上記課題を解決するためのものとして、本発明は、建築物を支持する枠状の外周基礎と、外周基礎の内側面を覆うように取り付けられる断熱材と、上記外周基礎および断熱材によって囲まれた床下部分の地盤を覆うように施工される土間コンクリートとを備えた断熱床下構造であって、上記断熱材は、その下側の一部が上記外周基礎の内側面と土間コンクリートとの間に挟まれるような状態で配置されており、上記断熱材の下方に位置する下側部材の上面のうち断熱材よりも床下側に張り出した部分に、防蟻機能を有する防蟻剤が配置されており、上記断熱材には、その床下側の面である外面側から補充される追加の防蟻剤を、上記断熱材の外面と土間コンクリートとの間を通じて上記下側部材の上面の防蟻剤へと導く案内手段が設けられている、ことを特徴とするものである（請求項１）。
【０００９】
本発明によれば、断熱材の下方に位置する部材（下側部材）の上面に配置された防蟻剤に、断熱材の外面と土間コンクリートとの間を通じて追加の防蟻剤を導入する場合に、断熱材に設けられた案内手段を利用して、断熱材の外面側から容易且つ確実に追加の防蟻剤を導入することができる。これにより、防蟻剤の補充のためにわざわざ断熱材を取り外すなどの煩雑な準備をする必要がなくなり、メンテナンスの作業性を格段に向上することができる。
【００１０】
本発明において、好ましくは、上記下側部材は、上記外周基礎の下端部から水平方向に張り出すように設けられたフーチングであり、上記土間コンクリートの周縁部と上記フーチングとが上下に重なるように配置されるとともに、両者の間に上記防蟻剤が配置される（請求項２）。
【００１１】
この構成によれば、土間コンクリートの周縁部とフーチングの上面との間に配置された防蟻剤に、上記案内手段を通じて追加の防蟻剤を容易に導入することができる。また、追加の防蟻剤の導入によって防蟻効果が長期間に亘って維持されるので、フーチングの上面と土間コンクリートとの隙間を通った白蟻の侵入を確実に防止することができる。
【００１２】
上記案内手段は、上記フーチングの上面から上記土間コンクリートの上面までの高さ範囲に亘る上記断熱材の外面を少なくとも覆うように配置された不織布とすることができる（請求項３）。
【００１３】
この構成によれば、断熱材に取り付けられた不織布に追加の防蟻剤を含浸させるだけの簡単な方法で、上記フーチングの上面の防蟻剤に追加の防蟻剤を導入することができる。
【００１４】
上記構成において、より好ましくは、上記断熱材は、上記フーチングの上面に載置され且つ上記外周基礎の内側面の下方領域を覆う下側断熱材と、下側断熱材の上面に載置され且つ上記外周基礎の内側面の上方領域を覆う上側断熱材とを有し、上記下側断熱材は、上記外周基礎の内側面と土間コンクリートの周縁部との間に挟まれるように配置されており、上記土間コンクリートの上面の高さが、上記下側断熱材の上面の高さと一致するように設定され、上記不織布は、上記下側断熱材の上面および外面と、下側断熱材の上面よりも上方に位置する上記外周基礎の内側面の一部とを連続して覆うように配置される（請求項４）。
【００１５】
この構成によれば、不織布が外部に露出しないので、不織布が劣化して追加の防蟻剤が不織布に含浸されにくくなるような事態を効果的に防止することができる。なお、このように外部に露出していない不織布に追加の防蟻剤を含浸させる際には、例えば、上側断熱材の所定部位に厚み方向に貫通するガイド孔を設け、このガイド孔に追加の防蟻剤を注入すればよい。
【００１６】
上記案内手段は、上記断熱材の外面に取り付けられ、且つ上記フーチングの上面から上記土間コンクリートの上面以上の高さ範囲に亘って上下方向に延びる中空構造材であってもよい。この場合、中空構造材の内部には、上記追加の防蟻剤が流通可能な上下方向に延びる流路が１つ以上形成される（請求項５）。
【００１７】
この構成によれば、断熱材の外面に取り付けられた中空構造材の内部の流路に追加の防蟻剤を流し込むだけの簡単な方法で、上記フーチングの上面の防蟻剤に追加の防蟻剤を確実に導入することができる。
【００１８】
上記構成において、より好ましくは、上記中空構造材は、上記断熱材の厚み方向および上下方向の双方に直交する方向に一定の間隔を空けて複数設けられる（請求項６）。
【００１９】
この構成によれば、複数の中空構造材のそれぞれに追加の防蟻剤を流し込んで上記フーチング上面の防蟻剤に導入することにより、追加の防蟻剤の導入量が場所によって大きくばらつくような事態を確実に回避でき、防蟻機能の補強効果を比較的均一に得ることができる。
【００２０】
また、本発明は、建築物を支持する枠状の外周基礎と、外周基礎の下端部から水平方向に張り出すフーチングと、フーチングの上面に載置され且つ上記外周基礎の内側面を覆うように取り付けられる断熱材と、上記外周基礎および断熱材によって囲まれた床下部分の地盤を覆うように施工される土間コンクリートとを備えた断熱床下構造に防蟻処理を施す方法であって、上記外周基礎の内側面に上記断熱材を取り付けるとともに、上記断熱材の床下側の面である外面のうち、上記フーチングの上面から上方の所定の高さ範囲を少なくとも覆うように不織布を取り付ける第１のステップと、上記断熱材の外面の近傍に位置するフーチングの上面に、防蟻機能を有する防蟻剤を配置する第２のステップと、上記床下部分の地盤と、上記防蟻剤が配置されたフーチングの上面とをともに覆うように上記土間コンクリートを施工し、この土間コンクリートの周縁部と上記外周基礎の内側面との間に上記断熱材の下側の一部を挟み込む第３のステップと、上記断熱材を外周基礎に取り付けた状態のままで、上記不織布の一部に追加の防蟻剤を含浸させることにより、この追加の防蟻剤を、上記断熱材の外面と土間コンクリートとの間を通じて上記フーチングの上面の防蟻剤へと導入する第４のステップとを含む、ことを特徴とするものである（請求項７）。
【００２１】
また、本発明は、上記断熱床下構造に防蟻処理を施す別の方法であって、上記外周基礎の内側面に上記断熱材を取り付けるとともに、上記断熱材の床下側の面である外面のうち、上記フーチングの上面から上方の所定の高さ範囲に亘って、上下方向に延びる流路が内部に形成された中空構造材を取り付ける第１のステップと、上記断熱材の外面の近傍に位置するフーチングの上面に、防蟻機能を有する防蟻剤を配置する第２のステップと、上記床下部分の地盤と、上記防蟻剤が配置されたフーチングの上面とをともに覆うように上記土間コンクリートを施工し、この土間コンクリートの周縁部と上記外周基礎の内側面との間に上記断熱材の下側の一部を挟み込む第３のステップと、上記断熱材を外周基礎に取り付けた状態のままで、上記中空構造材の内部の流路に追加の防蟻剤を流し込むことにより、この追加の防蟻剤を、上記断熱材の外面と土間コンクリートとの間を通じて上記フーチングの上面の防蟻剤へと導入する第４のステップとを含む、ことを特徴とするものである（請求項８）。
【００２２】
これらの方法によっても、上述した作用効果と同様の効果を得ることができる。
【発明の効果】
【００２３】
以上説明したように、本発明の断熱床下構造および防蟻処理方法によれば、断熱床下構造のメンテナンス時に行われる防蟻剤の補充作業をより容易化することができる。
【図面の簡単な説明】
【００２４】
【図１】本発明の第１実施形態にかかる断熱床下構造を示す断面図である。
【図２】図１のII−II線矢視正面図である。
【図３】上記断熱床下構造の施工方法を説明するための説明図（その１）である。
【図４】上記施工方法の説明図（その２）である。
【図５】上記施工方法の説明図（その３）である。
【図６】上記施工方法の説明図（その４）である。
【図７】上記施工方法の説明図（その５）である。
【図８】上記断熱床下構造に対し行われるメンテナンス作業を説明するための図である。
【図９】上記メンテナンス作業を説明するための図２相当図である。
【図１０】上記第１実施形態の変形例を説明するための図である。
【図１１】本発明の第２実施形態にかかる断熱床下構造を示す断面図である。
【図１２】図１１のXII−XII線矢視正面図である。
【図１３】上記第２実施形態で用いられる中空構造材を単体で示す斜視図である。
【図１４】上記第２実施形態で行われるメンテナンス作業を説明するための図である。
【図１５】本発明の第３実施形態にかかる断熱床下構造を示す断面図である。
【図１６】本発明の第４実施形態にかかる断熱床下構造を示す断面図である。
【図１７】従来の断熱床下構造を説明するための図である。
【発明を実施するための形態】
【００２５】
＜第１実施形態＞
（１）断熱床下構造の全体説明
図１は、本発明の第１実施形態にかかる断熱床下構造を示す断面図である。本図に示すように、家屋等からなる建築物Ｔの床下部分には、建築物Ｔの平面形状に対応するように枠状に形成されたコンクリート材からなる外周基礎１が打設されており、この外周基礎１によって建築物Ｔが下から支持されている。建築物Ｔの床部には、その骨格を構成する木製の角材等からなる土台Ｔａが含まれ、この土台Ｔａが、上記外周基礎１の上面に図外のアンカーボルト等を介して固定されている。
【００２６】
上記外周基礎１の下端部には、地盤Ｅに埋設された状態で水平方向に張り出すフーチング２が一体に形成されており、これら外周基礎１とフーチング２とによって、断面逆Ｔ字状のいわゆる布基礎が形成されている。なお、フーチング２（より詳しくは床下側に張り出している部分のフーチング２）は、後述する断熱材１０の下方に位置する部材であるので、請求項にいう「下側部材」に相当する。
【００２７】
上記外周基礎１における床下側（図１では右側）の側面、つまり、外周基礎１の内側面１ａには、断熱材１０が取り付けられている。断熱材１０は、例えば発泡ポリスチレンや発泡ウレタンなど、断熱性に優れた樹脂材料からなり、外周基礎１の内側面１ａと直交する方向に所定の厚みを有した板状の部材である。
【００２８】
上記断熱材１０は、高さ方向に２分割されており、フーチング２の上面に載置され且つ外周基礎１の内側面１ａの下方領域を覆う下側断熱材１０Ａと、下側断熱材１０Ａの上面に載置され且つ外周基礎１の内側面１ａの上方領域を覆う上側断熱材１０Ｂとを有している。そして、これら下側断熱材１０Ａおよび上側断熱材１０Ｂが上下に並べて配置されることにより、外周基礎１の内側面１ａのほぼ全高さ範囲が断熱材１０（下側断熱材１０Ａおよび上側断熱材１０Ｂ）によって覆われている。
【００２９】
また、図２に示すように、断熱材１０の下側断熱材１０Ａおよび上側断熱材１０Ｂは、それぞれ、外周基礎１の周方向（つまり外周基礎１の厚み方向および上下方向の双方に直交する方向）に所定の寸法を有しており、これら下側断熱材１０Ａおよび上側断熱材１０Ｂがそれぞれ複数枚用意されて外周基礎１の周方向に並べて配置されることにより、外周基礎１の内側面１ａの全周が上記各断熱材１０Ａ，１０Ｂによって覆われている。
【００３０】
上記断熱材１０（下側断熱材１０Ａおよび上側断熱材１０Ｂ）は、例えば接着剤を介して外周基礎１の内側面１ａに固定されている。断熱材１０の固定に接着剤を用いる場合には、接着剤として防蟻用の薬剤が練り込まれたものを用いることが好ましい。なお、接着剤に含有され得る薬剤の具体例は、後述する防蟻剤９の説明において例示する薬剤と基本的に同じであるので、ここでは説明を省略する。
【００３１】
上記外周基礎１および断熱材１０によって囲まれた建築物Ｔの床下部分には、水平方向に拡がる板状のコンクリート材からなる土間コンクリート５が施工されており、この土間コンクリート５によって床下部分の地盤Ｅの上面が覆われている。土間コンクリート５の上面の高さは、下側断熱材１０Ａと上側断熱材１０Ｂとの境界の高さ（下側断熱材１０Ａの上面１１の高さ）と一致するように設定されている。
【００３２】
上記土間コンクリート５の周縁部５ａは、外周基礎１（断熱材１０）に近づくほど厚みが大きくなるように形成されている。この土間コンクリート５の周縁部５ａは、下側断熱材１０Ａの床下側（外周基礎１とは反対側）の面である外面１２に達するまで拡がっており、且つ上記フーチング２の上面（フーチング２の上面のうち断熱材１０よりも床下側に張り出した部分）に重なるように配置されている。これにより、下側断熱材１０Ａは、上記土間コンクリート５の周縁部５ａと外周基礎１との間に挟まれるような状態で、上記外周基礎１の内側面１ａに固定されている。
【００３３】
上記土間コンクリート５とフーチング２とが上下に重なり合っている部分、つまり、土間コンクリート５の周縁部５ａとフーチング２の上面との間には、白蟻の侵入を防ぐ機能（防蟻機能）を有する防蟻剤９が充填されている。
【００３４】
上記防蟻剤９は、防蟻機能を有し、且つある程度の保形性を有するものであれば特にその種類を問わないが、例えば、防蟻用の薬剤が練りこまれたペースト状の樹脂組成物、防蟻用の薬剤を含有した樹脂成形体（フィルム、ペレット、板材など）、粒子状または粉体状の無機物に防蟻用の薬剤を付着させたもの、あるいは尖角形状のガラス小片、さらにはこれらを２つ以上組み合わせたものを、上記防蟻剤９として使用することができる。
【００３５】
また、上記防蟻剤９に含有される薬剤は、防蟻機能を有するものであれば特にその種類を問わないが、例えば、ピレスロイド様薬剤（シラフルオフェン、エトフェンプロックス等）、ピレスロイド系薬剤（ビフェントリン、サイパーメストン、デルタメスリン、パーメスリン、ペルメスリン、アレスリン、トラロメスリン等）、カーバメント系薬剤（プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等を、上記薬剤として使用することができる。
【００３６】
上記土間コンクリート５と地盤Ｅとの間には、防蟻用の薬剤が練り込まれたシート状体からなる防蟻シート７が敷設されている。防蟻シート７は、その周縁部が下側断熱材１０Ａの外面１２に達するまで拡がっており、下側断熱材１０Ａの近傍では、フーチング２の上面に配置されている上記防蟻剤９を上から覆うように敷設されている。なお、防蟻シート７に含有される薬剤としては、上述した防蟻剤９の説明において例示した薬剤と基本的に同じものを用いることができる。
【００３７】
上記断熱材１０には、シート状の不織布２０（図１）が取り付けられている。この不織布２０は、後述するメンテナンス作業時に補充される追加の防蟻剤９’（図８参照）を、下側断熱材１０Ａの外面１２と土間コンクリート５との間を通じて防蟻剤９の位置（フーチング２の上面）へと導く機能を果たすものであり、請求項にいう「案内手段」に相当するものである。なお、不織布２０としては、例えばＰＥＴ繊維で形成された不織布を好適に用いることができる。
【００３８】
具体的に、上記不織布２０は、下側断熱材１０Ａの上面１１および外面１２を覆うとともに、下側断熱材１０Ａの上面１１よりも上方に位置する外周基礎１の内側面１ａの一部を覆うように取り付けられている。これにより、不織布２０は、下側断熱材１０Ａと土間コンクリート５との間、下側断熱材１０Ａと上側断熱材１０Ｂとの間、および外周基礎１の内側面１ａと上側断熱材１０Ｂとの間にそれぞれ挟まれるような状態で取り付けられている。
【００３９】
（２）施工方法
次に、以上のような断熱床下構造を施工する方法について説明する。なお、この説明の前提として、地盤Ｅには既に外周基礎１およびフーチング２が打設されているものとする。
【００４０】
上記の状態から始める作業としては、まず、図３に示すように、床下部分の地盤Ｅにおける外周基礎１に近い部分に掘りこみ部Ｘを形成し、フーチング２の上面（床下側に張り出した部分の上面）を露出させる。このとき、掘り込み部Ｘの幅を上方側ほど広くなるように設定し、掘り込み部Ｘに対応する地盤Ｅの上面を傾斜状に形成する。
【００４１】
次いで、図４に示すように、外周基礎１の内側面１ａの下方領域を覆うように下側断熱材１０Ａを取り付ける。すなわち、下側断熱材１０Ａの下面１３をフーチング２の上面に載置するとともに、下側断熱材１０Ａの裏面１４（外周基礎１側の面）を接着剤等を介して外周基礎１の内側面１ａに固定する。下側断熱材１０Ａの固定に接着剤を用いる場合、その接着剤としては、防蟻用薬剤を含有したものを用いるのがよい。
【００４２】
次いで、図５に示すように、不織布２０を下側断熱材１０Ａの周りに取り付ける。具体的には、下側断熱材１０Ａの外面１２（床下側の面）と、下側断熱材１０Ａの上面１１と、当該上面１１よりも上方に位置する外周基礎１の内側面１ａの一部とを連続して覆うように、不織布２０を取り付ける。不織布２０を固定する方法は特に問わないが、例えば、図５に一例として示すように、樹脂製のピン２２を用いて下側断熱材１０Ａの外面１２に不織布２０を固定するとともに、テープ２３を用いて不織布２０の上端部を外周基礎１の内側面１ａに固定するとよい。
【００４３】
次いで、図６に示すように、下側断熱材１０Ａの外面１２の近傍に位置するフーチング２の上面に防蟻剤９を配置するとともに、床下部分の地盤Ｅの上面を覆うように防蟻シート７を敷設する。このとき、防蟻シート７の周縁部は、上記掘り込み部Ｘ（図３）に対応する地盤Ｅの上面（傾斜している部分）と、フーチング２の上面に配置された防蟻剤９とを合わせて覆うように敷設される。なお、ここでの敷設作業で使用される防蟻シート７の枚数は、１枚に限られない。防蟻シート７を複数枚使用する場合は、例えば、外周基礎１に比較的近い部分のみを覆うために用意された帯状の防蟻シート７と、地盤Ｅの中央部を含む比較的広範な領域を覆うために用意された矩形状の防蟻シート７とを部分的に重ね合わせつつ敷設するとよい。
【００４４】
次いで、図７に示すように、床下部分の地盤Ｅを覆うように土間コンクリート５を施工する。このとき、床下部分の地盤Ｅの周縁部に形成されていた掘り込み部Ｘ（図３）にもコンクリートが流れ込み、この掘り込み部Ｘに対応する部分に、相対的に厚みの大きい土間コンクリート５の周縁部５ａが形成される。このような周縁部５ａを含む土間コンクリート５が形成されることにより、フーチング２の上面に配置されていた防蟻剤９が土間コンクリート５によって上から覆されるとともに、外周基礎１の内側面１ａと土間コンクリート５との間に下側断熱材１０Ａが挟み込まれる。なお、土間コンクリート５の施工時、その厚みは、土間コンクリート５の上面の高さが下側断熱材１０Ａの上面１１と同じ高さになるように設定される。
【００４５】
次いで、同じく図７に示すように、外周基礎１の内側面１ａの上方領域を覆うように上側断熱材１０Ｂを取り付ける。すなわち、上側断熱材１０Ｂの下面１７を下側断熱材１０Ａの上面１１に載置するとともに、上側断熱材１０Ｂの裏面１８を接着剤等を介して外周基礎１の内側面１ａ（内側面１ａにおける下側断熱材１０Ａよりも上方側の領域）に固定する。これにより、図１に示したように、下側断熱材１０Ａおよび上側断熱材１０Ｂからなる断熱材１０が形成され、この断熱材１０により、外周基礎１の内側面１ａがほぼ全高さ範囲に亘って覆われることになる。
【００４６】
（３）メンテナンス作業
次に、以上のような方法で施工された断熱床下構造に対し、防蟻効果を維持するためのメンテナンスを行うときの作業手順について説明する。
【００４７】
土中の白蟻は、基本的に暗がりを行動範囲とするため、建築物Ｔに侵入しようという場合は、フーチング２の上面と土間コンクリート５の周縁部５ａとの隙間や、外周基礎１の内側面１ａと断熱材１０（下側断熱材１０Ａおよび上側断熱材１０Ｂ）との隙間を通って上方に這い上がろうとする。しかしながら、当実施形態の構造では、フーチング２の上面と土間コンクリート５の周縁部５ａとの間に防蟻剤９が充填されているため、基本的には、この防蟻剤９によって白蟻の這い上がりが阻止される。さらに、当実施形態では、土間コンクリート５と地盤Ｅとの間に防蟻シート７が敷設されているため、この防蟻シート７によっても、白蟻の侵入を阻止する効果が得られる。
【００４８】
しかしながら、防蟻剤９に含有されている薬剤の効果が経年劣化により薄れたり、防蟻剤９の体積が乾燥により収縮するなどしていれば、白蟻が防蟻剤９を通過して上方まで這い上がり、建築物Ｔの土台Ｔａ等が白蟻に食われるという被害（食害）が及ぶこともあり得る。このような白蟻による被害を抑えるには、防蟻剤９の位置（フーチング２の上面）に追加の防蟻剤を定期的に導入する作業（防蟻剤の補充作業）を行うことが必要である。
【００４９】
当実施形態において、上記のような防蟻剤の補充作業は、断熱材１０を外周基礎１に取り付けた状態のまま、断熱材１０の外面側（つまり床下側）から行うことが可能である。その一例を図８に示す。図８は、注射器３０を用いて追加の防蟻剤９’をフーチング２の上面に導入する場合を例示したものである。なお、追加の防蟻剤９’は、当初からフーチング２の上面と土間コンクリート５の周縁部５ａとの間に充填されていた防蟻剤９と同じものでも、異なるものでもよい。例えば、当初の防蟻剤９が流動性に富んだものである場合には、これと同じものを追加の防蟻剤９’として使用することができる。一方、当初の防蟻剤９の流動性が低ければ、流動性の高い別の防蟻剤を追加の防蟻剤９’として使用するとよい。例えば、防蟻用の薬剤を水または溶剤に溶かしたもの（防蟻薬液）を、上記追加の防蟻剤９’として使用することが考えられる。
【００５０】
図８に示すように、防蟻剤９’の補充作業を開始するには、そのための準備として、まず、上側断熱材１０Ｂにガイド孔２５を設ける作業を行う。具体的には、ハンドドリル等の穿孔機を用いて上側断熱材１０Ｂの外面１６から孔を開け、その孔の先端を上側断熱材１０Ｂの裏面１８まで到達させることにより、上側断熱材１０Ｂを厚み方向に貫通するガイド孔２５を設ける。
【００５１】
上記ガイド孔２５は、図９にも示すように、外周基礎１を全周に亘って覆う複数枚の上側断熱材１０Ｂのそれぞれに、所定数（図例では４つ）ずつ設けられる。各上側断熱材１０Ｂに設けられる複数のガイド孔２５は、外周基礎１の周方向、言い換えると、上側断熱材１０Ｂの厚み方向および上下方向の双方に直交する方向（図１の紙面に直交する方向、図２の左右方向）に一定の間隔を空けて並ぶように配置される。
【００５２】
上記ガイド孔２５が設けられる高さ位置は、外周基礎１の内側面１ａと上側断熱材１０Ｂの裏面１８との間に挟まれている不織布２０の上端部と重複する高さに設定される。すなわち、不織布２０の取付け時（例えば図５参照）に外周基礎１の内側面１ａに固定される不織布２０の上端部が、下側断熱材１０Ａの上面１１からどれだけ高いところまでを覆っているのかが既に分かっているので、ガイド孔２５の高さ位置は、この不織布２０の上端部の上下寸法（下側断熱材１０Ａの上面１１からの立ち上がり寸法）を考慮して決定される。例えば、不織布２０の上端部の上下寸法が８０ｍｍである場合には、土間コンクリート５の上面（下側断熱材１０Ａの上面１１に同じ）から８０ｍｍ未満の高さに、上記ガイド孔２５が設けられる。
【００５３】
以上のようにして上側断熱材１０Ｂへのガイド孔２５の形成が終了すると、そのガイド孔２５に対し、注射器３０を用いて追加の防蟻剤９’を注入する。具体的には、追加の防蟻剤９’が内部に装填された注射器３０の針先を、上記ガイド孔２５の入口（上側断熱材１０Ｂの外面１６側の開口）に挿入し、その状態で、注射器３０のピストンを押し込むことにより、注射器３０内の防蟻剤９’をガイド孔２５の内部に注入する。
【００５４】
上記のようにしてガイド孔２５に注入された追加の防蟻剤９’は、ガイド孔２５の出口（上側断熱材１０Ｂの裏面１８側の開口）から導出され、外周基礎１の内側面１ａに固定されている不織布２０の上端部に含浸される。不織布２０の上端部に含浸された追加の防蟻剤９’は、時間経過とともに不織布２０の全体に浸透することにより、下側断熱材１０Ａと上側断熱材１０Ｂとの間、および下側断熱材１０Ａの外面１２と土間コンクリート５との間を通じて下方へと移動し、フーチング２の上面へと到達する。これにより、フーチング２の上面に配置されている防蟻剤９に、追加の防蟻剤９’が導入されることになる。
【００５５】
（４）作用等
以上説明したように、上記第１実施形態では、建築物Ｔを支持する枠状の外周基礎１と、外周基礎１の下端部から水平方向に張り出すフーチング２と、フーチング２の上面に載置され且つ上記外周基礎１の内側面を覆うように取り付けられる下側断熱材１０Ａおよび上側断熱材１０Ｂからなる断熱材１０と、外周基礎１および断熱材１０によって囲まれた床下部分の地盤Ｅを覆うように施工される土間コンクリート５とを備えた断熱床下構造において、次のような特徴的な構成を採用した。
【００５６】
すなわち、上記第１実施形態では、土間コンクリート５の周縁部５ａとフーチング２とが上下に重なるように配置されるとともに、両者の間には防蟻機能を有する防蟻剤９が充填されている。断熱材１０の下側断熱材１０Ａは、土間コンクリート５の周縁部５ａと外周基礎１の内側面１ａとの間に挟まれるように配置されており、土間コンクリート５の上面の高さは、下側断熱材１０Ａの上面１１の高さと一致するように設定されている。断熱材１０には不織布２０が取り付けられており、この不織布２０は、下側断熱材１０Ａの上面１１および外面１２と、下側断熱材１０Ａの上面１１よりも上方に位置する外周基礎１の内側面１ａの一部とを連続して覆うように取り付けられている。
【００５７】
このような第１実施形態の構成によれば、メンテナンス時に行われる追加の防蟻剤９’の導入作業をより容易化することができる。すなわち、上記第１実施形態では、防蟻剤９が配置されているフーチング２の上面に、下側断熱材１０Ａの外面１２と土間コンクリート５との間を通じて追加の防蟻剤９’を導入する場合に、断熱材１０に設けられた不織布２０（案内手段）を利用して、断熱材１０の外面側から容易且つ確実に追加の防蟻剤９’を導入することができる。これにより、防蟻剤９’の補充のためにわざわざ断熱材１０（下側断熱材１０Ａおよび上側断熱材１０Ｂ）を取り外すなどの煩雑な準備をする必要がなくなり、メンテナンスの作業性を格段に向上することができる。また、フーチング２の上面に配置された防蟻剤９に対し、追加の防蟻剤９’が定期的に導入されることにより、上記防蟻剤９による防蟻効果が長期間に亘って維持されるので、フーチング２の上面と土間コンクリート５との隙間を通った白蟻の侵入を確実に防止することができる。
【００５８】
より具体的に、上記第１実施形態では、断熱材１０として、外周基礎１の内側面１ａと土間コンクリート５との間に挟まれる下側断熱材１０Ａと、その上側に配置される上側断熱材１０Ｂとを設け、このうち、下側断熱材１０Ａの上面１１および外面１２と、下側断熱材１０Ａの上面１１よりも上方に位置する外周基礎１の内側面１ａの一部とを連続して覆うように不織布２０を配置したので、不織布２０が外部に露出することがなく、不織布２０が劣化して追加の防蟻剤９’が不織布２０に含浸されにくくなるような事態を効果的に防止することができる。なお、このように外部に露出していない不織布２０に追加の防蟻剤９’を含浸させる際には、図８および図９に示したように、上側断熱材１０Ｂの所定部位に厚み方向に貫通するガイド孔２５を設ければ、このガイド孔２５を通じて、外周基礎１の内側面１ａに固定されている不織布２０の上端部に追加の防蟻剤９’を含浸させることができる。
【００５９】
また、上記第１実施形態では、メンテナンス時に追加の防蟻剤９’が不織布２０に含浸されることで、この不織布２０自身（特に外周基礎１と上側断熱材１０Ｂとの間に配置される不織布２０の上端部）が白蟻の侵入を防止する役割を果たし、その意味でも防蟻効果が向上することになる。
【００６０】
なお、上記第１実施形態では、下側断熱材１０Ａおよび上側断熱材１０Ｂからなる上下２分割構造の断熱材１０を外周基礎１の内側面１ａに取り付けたが、断熱材１０としては、このような分割構造のものに限らず使用可能である。
【００６１】
図１０に、上下に分割されていない一体型の断熱材４０を外周基礎１に取り付けた例を示している。本図に示すように、一体型の断熱材４０を使用した場合、不織布２０は、フーチング２の上面から土間コンクリート５の上面までの高さ範囲に亘る断熱材４０の外面４２を少なくとも覆うように取り付けられる。このようにすれば、メンテナンス時に土間コンクリート５の上面近傍に位置する断熱材４０の外面４２に向けて追加の防蟻剤９’を散布することにより、土間コンクリート５の上面から上方に露出している不織布２０の上端部に、上記追加の防蟻剤９’を含浸させることができる。不織布２０の上端部に追加の防蟻剤９’が含浸されれば、その後は、時間経過とともに不織布２０の全体に防蟻剤９’が浸透する。これにより、防蟻剤９’は、断熱材４０の外面４２と土間コンクリート５との間を通じて下方へと移動し、フーチング２の上面へと到達する。なお、図１０の例では、噴霧器４５を用いて追加の防蟻剤９’を供給しているが、例えば刷毛塗り等によって不織布２０に防蟻剤９’を塗布してもよい。
【００６２】
また、上記第１実施形態では、追加の防蟻剤９’を上側断熱材１０Ｂのガイド孔２５に注入する際に注射器３０を用いたが、ガイド孔２５に防蟻剤９’を注入できるものであれば、注射器３０に限らず適宜のものを使用可能である。
【００６３】
また、上記第１実施形態では、土間コンクリート５と地盤Ｅとの間に防蟻シート７を敷設したが、土間コンクリート５の周縁部５ａとフーチング２の上面との間に防蟻剤９が存在しているため、上記防蟻シート７の敷設は必須ではなく、防蟻シート７を省略することも可能である。なお、このことは、後述する他の実施形態でも同様である。
【００６４】
また、上記第１実施形態では、メンテナンス時に補充される追加の防蟻剤９’を断熱材１０と土間コンクリート５との間を通じてフーチング２の上面へと導く案内手段として、シート状の不織布２０を用いたが、上記案内手段としては、追加の防蟻剤９’を案内する機能を有するものであればよく、その具体的構造は種々変更可能である。その具体例を次の第２実施形態として説明する。
【００６５】
＜第２実施形態＞
図１１および図１２は、本発明の第２実施形態を説明するための図である。本図に示される第２実施形態では、上下に分割されていない一体型の断熱材５０が、外周基礎１の内側面１ａを覆うように取り付けられている。断熱材５０は、外周基礎１の周方向（外周基礎１の厚み方向および上下方向の双方に直交する方向）に所定の寸法を有しており、このような断熱材５０が複数枚用意されて外周基礎１の周方向に並べて配置されることにより、外周基礎１の内側面１ａの全周が上記断熱材５０によって覆われている。
【００６６】
上記外周基礎１および断熱材５０によって囲まれた床下部分の地盤Ｅには土間コンクリート５が施工されており、この土間コンクリート５は、上記床下部分の地盤Ｅと、フーチング２（下側部材）の上面のうち断熱材５０よりも床下側に張り出した部分とをともに覆うように施工されている。これにより、上記断熱材５０は、その下側の一部が、土間コンクリート５の周縁部５ａと外周基礎１との間に挟まれるような状態で、上記外周基礎１の内側面１ａに固定されている。
【００６７】
上記フーチング２の上面のうち断熱材５０よりも床下側に張り出した部分と、上記土間コンクリート５の周縁部５ａとの間には、上記第１実施形態で用いたのと同様の防蟻剤９が充填されている。さらに、土間コンクリート５と地盤Ｅとの間、および土間コンクリート５とフーチング２との間（防蟻剤９の上面）には、上記第１実施形態で用いたのと同様の防蟻シート７が敷設されている。
【００６８】
上記断熱材５０の外面５２には中空構造材６０が取り付けられている。この中空構造材６０は、土間コンクリート５の上面よりも若干上方の位置からフーチング２の上面までの高さ範囲に亘って設けられており、断熱材５０と土間コンクリート５との間を通って上下方向に延びている。なお、当実施形態の中空構造材６０は、メンテナンス作業時に補充される追加の防蟻剤を、断熱材５０と土間コンクリート５との間を通じて防蟻剤９の位置（フーチング２の上面）まで導く機能を果たすものであり、請求項にいう「案内手段」に相当するものである。
【００６９】
図１３は、上記中空構造材６０を単体で示す斜視図である。本図に示すように、中空構造材６０は、扁平かつ長尺な四角枠状の基材と、その内部に一体に設けられた複数の仕切部材とを有しており、仕切部材によって仕切られた複数の流路６２が中空構造材６０の内部に形成されている。各流路６２は、中空構造材６０の長手方向（上下方向）に沿って互いに平行に延び、中空構造材６０を長手方向に貫通している。
【００７０】
図１２に示すように、中空構造材６０は、外周基礎１を全周に亘って覆う複数枚の断熱材５０のそれぞれに、所定数（図例では２つ）ずつ取り付けられる。各断熱材５０の外面５２に取り付けられる複数の中空構造材６０は、外周基礎１の周方向、言い換えると、断熱材５０の厚み方向および上下方向の双方に直交する方向に一定の間隔を空けて並ぶように配置されている。
【００７１】
次に、以上のような第２実施形態の断熱床下構造を施工する方法について説明する。なお、この施工方法は、上述した第１実施形態の施工方法と共通する部分も多いので、ここでは、図示を省略しつつ簡単に説明する。
【００７２】
上記第２実施形態の断熱床下構造を得るには、まず、外周基礎１の内側面１ａに断熱材５０を取り付ける。
【００７３】
次いで、この断熱材５０の外面５２に、両面テープあるいは接着剤等を用いて中空構造材６０を固定する。このとき、中空構造材６０を固定する位置は、断熱材５０の外面５２の下方領域とし、中空構造材６０の下端面をフーチング２の上面に当接させるような状態で中空構造材６０を取り付ける。
【００７４】
次いで、断熱材５０の外面５２の近傍に位置するフーチング２の上面に防蟻剤９を配置する。また、床下部分の地盤Ｅの上面と、防蟻剤９が配置されているフーチング２の上面とをともに覆うように防蟻シート７を敷設する。
【００７５】
最後に、防蟻シート７の上から土間コンクリート５を施工し、土間コンクリート５の周縁部５ａと外周基礎１の内側面１ａとの間に断熱材５０の下部を挟み込む。このとき、土間コンクリート５の上面の高さは、中空構造材６０の上端面よりも低い高さに設定する。
【００７６】
以上のようにして施工された第２実施形態の断熱床下構造に対しメンテナンス作業を行う際には、例えば図１４に示すように、追加の防蟻剤９’が内部に貯留された注入器７０を用いて、中空構造材６０の上端面に向けて防蟻剤９’を流下させる。流下された追加の防蟻剤９’は、中空構造材６０の内部に形成された複数の流路６２（図１３）に流れ込み、当該流路６２を通じてフーチング２の上面へと到達する。これにより、フーチング２の上面に配置されている防蟻剤９に、上記追加の防蟻剤９’が導入されることになる。
【００７７】
以上のように、本発明の第２実施形態では、フーチング２の上面に配置されている防蟻剤９に追加の防蟻剤９’を導く案内手段として、上下方向に延びる複数の流路６２が内部に形成された中空構造材６０を設けたため、メンテナンス時には、この中空構造材６０の内部の流路に追加の防蟻剤９’を流し込むだけの簡単な方法で、フーチング２上面の防蟻剤９に追加の防蟻剤９’を確実に導入することができ、防蟻剤９による防蟻機能を効果的に補強することができる。
【００７８】
しかも、上記第２実施形態では、断熱材５０の厚み方向および上下方向の双方に直交する方向（外周基礎１の周方向）に一定の間隔を空けて複数の中空構造材６０が設けられているため、複数の中空構造材６０のそれぞれに追加の防蟻剤９’を流し込んでフーチング２の上面に導入することにより、追加の防蟻剤９’の導入量が場所によって大きくばらつくような事態を確実に回避でき、防蟻機能の補強効果を比較的均一に得ることができる。
【００７９】
なお、上記第２実施形態では、複数の流路６２が内部に形成された中空構造材６０を断熱材５０の外面５２に取り付けたが、中空構造材としては、上下方向に延びる流路を１つ以上有するものであればよく、例えば中空のパイプ材を上記中空構造材として用いてもよい。
【００８０】
＜第３実施形態＞
図１５は、本発明の第３実施形態を説明するための図である。本図に示される第３実施形態では、外周基礎１の下端部が地盤Ｅの中の比較的深い位置まで埋設されている。このため、フーチング２の上面よりもさらに上方の高さまで地盤Ｅが盛られており、当該地盤Ｅの上面を覆う土間コンクリート５は、フーチング２の上面よりも上方に離れた位置に敷設されている。
【００８１】
上記外周基礎１の内側面１ａには、フーチング２の上面よりも上方の高さ範囲を全て覆うように断熱材７０が取り付けられている。このため、断熱材７０の下側の一部は、外周基礎１と土間コンクリート５との間に挟まれており、また、土間コンクリート５よりも下方に位置する断熱材７０の下端近傍部位は、外周基礎１と地盤Ｅとの間に挟まれている。
【００８２】
上記断熱材７０の外面７２（床下側の面）には、アルミ製のシート状体（アルミシート）からなるシート材８０が取り付けられている。このシート材８０は、土間コンクリート５の上面よりも若干上方の位置からフーチング２の上面までの高さ範囲に亘って断熱材７０の外面７２を覆うように取り付けられており、断熱材７０と土間コンクリート５との間、および断熱材７０と地盤Ｅとの間をそれぞれ通るように上下方向に延びている。
【００８３】
シート材８０の下端部は床下側に折り曲げられており、この折り曲げ部分は、断熱材７０よりも床下側に張り出した部分のフーチング２の上面を覆っている。そして、この折り曲げ部分のシート材８０の下側に位置するフーチング２の上面に、上記第１実施形態で用いたのと同様の防蟻剤９が配置されている。すなわち、防蟻剤９は、断熱材７０よりも床下側に張り出した部分のフーチング２の上面に、シート材８０によって上から覆われる状態で配置されている。なお、当実施形態のシート材８０は、メンテナンス作業時に補充される追加の防蟻剤を、断熱材７０と土間コンクリート５との間を通じて防蟻剤９の位置（フーチング２の上面）まで導く機能を果たすものであり、請求項にいう「案内手段」に相当するものである。さらに、当実施形態では、白蟻が食い破りにくいアルミシートによってシート材８０が構成されているので、このシート材８０は、白蟻の侵入を避ける防蟻シートとしても機能する。
【００８４】
上記断熱材７０の裏面７４および下面７７には、シート状の不織布９０が取り付けられている。不織布９０の上端部は、土間コンクリート５の上面よりも所定距離上方の高さ位置まで延びており、当該高さ位置よりも下方範囲の断熱材７０の裏面７４と断熱材の下面７７とを連続して覆うように上記不織布９０が取り付けられている。
【００８５】
以上のような第３実施形態において、防蟻効果を維持するためのメンテナンス作業として、防蟻剤９が配置されているフーチング２の上面に追加の防蟻剤９’を導入しようという場合には、その導入を案内する案内手段として、シート材８０を利用することができる。例えば、図１５に矢印Ｘとして示すように、土間コンクリート５の上面から露出している部分のシート材８０と断熱材７０の外面７２との間に形成される隙間に、注射器３０を用いて追加の防蟻剤９’を注入する。注入された追加の防蟻剤９’は、断熱材７０の外面７２とシート材８０との隙間を通じてフーチング２の上面まで流下し、このフーチング２の上面に配置されている防蟻剤９に到達する。
【００８６】
さらに、図１５中に矢印Ｙとして示すように、断熱材７０を貫通するガイド孔９５を設け、このガイド孔９５に追加の防蟻剤９’を注入するようにしてもよい。注入された追加の防蟻剤９’は、断熱材７０の裏面７４および下面７７に取り付けられた不織布９０に浸透しつつ、フーチング２の上面に配置された防蟻剤９へと導入される。
【００８７】
なお、上記第３実施形態では、追加の防蟻剤９’を導入する際に注射器３０を用いたが、断熱材７０の外面７２とシート材８０との隙間等に防蟻剤９’を注入できるものであれば、注射器３０に限らず適宜のものを使用可能である。
【００８８】
また、上述した第１〜第３実施形態では、いずれもフーチング２の上面に防蟻剤９を配置したが、防蟻剤９は、断熱材（１０，４０，５０，７０）の下方に位置する部材の上面のうち断熱材よりも床下側に張り出した部分に配置されていればよく、フーチング２の上面以外にも防蟻剤９を配置することができる。その一例を第４実施形態として説明する。
【００８９】
＜第４実施形態＞
図１６に示す第４実施形態では、外周基礎１の内側面１ａに、上から順に断熱材１１０および防蟻断熱材１２０が取り付けられている。
【００９０】
防蟻断熱材１２０は、上記第１〜第３実施形態で用いてきたいずれの断熱材とも異なり、防蟻用の薬液が配合された特殊な断熱材であり、それ自体、白蟻を忌避する機能を有している。この防蟻断熱材１２０は、土間コンクリート５よりも低い高さ範囲の内側面１ａを覆うように取り付けられており、外周基礎１と地盤Ｅとの間に挟まれている。なお、防蟻断熱材１２０は、断熱材１１０の下方に位置する部材であるので、請求項にいう「下側部材」に相当する。
【００９１】
防蟻断熱材１２０は、断熱材１１０よりも大きい厚みを有しており、防蟻断熱材１２０の上面の一部が断熱材１１０の外面１１２よりも床下側に張り出している。そして、この張り出した部分の防蟻断熱材１２０の上面に防蟻剤９が配置されている。
【００９２】
断熱材１１０の外面１１２には、上記第２実施形態で用いたのと同様の中空構造材６０が取り付けられている。メンテナンス作業時には、例えば、中空構造材６０の内部に形成された流路６２（図１３）に追加の防蟻剤９’（図１４）を上方から流し込むことにより、当該防蟻剤９’を防蟻断熱材１２０の上面に配置された防蟻剤９に導入することができる。
【符号の説明】
【００９３】
１  外周基礎
１ａ  （外周基礎の）内側面
２  フーチング（下側部材）
５  土間コンクリート
５ａ  （土間コンクリートの）周縁部
９  防蟻剤
９’  追加の防蟻剤
１０  断熱材
１０Ａ  下側断熱材
１０Ｂ  上側断熱材
１１  （下側断熱材の）上面
１２  （下側断熱材の）外面
２０  不織布
４０  断熱材
４２  （断熱材の）外面
５０  断熱材
５２  （断熱材の）外面
６０  中空構造材
６２  流路
Ｅ  地盤
Ｔ  建築物
【図１】
2015145585.tif 000003
【図２】
2015145585.tif 000004
【図３】
2015145585.tif 000005
【図４】
2015145585.tif 000006
【図５】
2015145585.tif 000007
【図６】
2015145585.tif 000008
【図７】
2015145585.tif 000009
【図８】
2015145585.tif 000010
【図９】
2015145585.tif 000011
【図１０】
2015145585.tif 000012
【図１１】
2015145585.tif 000013
【図１２】
2015145585.tif 000014
【図１３】
2015145585.tif 000015
【図１４】
2015145585.tif 000016
【図１５】
2015145585.tif 000017
【図１７】
2015145585.tif 000018
【図１６】
2015145585.tif 000019